(57)【要約】【課題】導入コストが安く、手間又は時間がかかる施工工事を行うことなく浴槽自動洗浄を実現する浴槽洗浄装置を提供する。【解決手段】浴槽洗浄装置は、浴槽１１１内の浴水を循環させる浴水循環経路１０２と、浴水循環経路１０２の途中に設けられた追い焚き用ポンプ１０４と、を備えている。制御部１２０は、浴槽１１１から浴水を排水する排水動作が開始されたことに応答して浴槽１１１の洗浄動作を開始する。洗浄動作では、追い焚き用ポンプ１０４を操作して、浴水循環経路１０２を流れる浴水の循環方向を周期的に反転させる。これにより、浴水の排水を行いながら浴水を波立たせる。また、洗浄動作を行う場合には、バブル発生器１０５ａを駆動させて浴槽１１１内にバブル（微細気泡）を導入する。【選択図】図２
2015112138.tif 000002
【特許請求の範囲】
【請求項１】
浴槽の内壁を洗浄するための浴槽洗浄装置であって、
前記浴槽の浴水を波立たせる造波手段と、
前記浴槽に浴水が貯留されている状態で前記造波手段を操作することにより前記浴槽の内壁を洗浄する洗浄動作を行う制御手段と、
を備える浴槽洗浄装置。
【請求項２】
前記制御手段は、前記浴槽から浴水を排水する排水動作が開始されたことに応答して前記洗浄動作を開始する請求項１に記載の浴槽洗浄装置。
【請求項３】
浴水中に微細気泡を供給する気泡発生装置を備え、
前記制御手段は、前記洗浄動作を行う場合に前記気泡発生装置を駆動させて前記浴槽に微細気泡を導入する請求項１または２に記載の浴槽洗浄装置。
【請求項４】
前記浴槽に接続され、前記浴槽の浴水を循環させる浴水循環経路と、
前記浴水循環経路の途中に設けられたポンプと、を備え、
前記造波手段は、前記ポンプを操作して前記浴水循環経路の浴水の循環方向を周期的に反転させることで浴水を波立たせる請求項１から３の何れか１項に記載の浴槽洗浄装置。
【請求項５】
前記造波手段は、浴槽アダプタに配置され、浴水中で可動する可動部を含み、
前記制御手段は、前記洗浄動作を行う場合に前記可動部を駆動させることで浴水を波立たせる請求項１から４の何れか１項に記載の浴槽洗浄装置。
【請求項６】
前記浴槽の浴水の揺れに応じた信号を検知する検知手段を更に備え、
前記制御手段は、前記検知手段によって検知される浴水の揺れに応じて前記造波手段を操作する請求項１から５の何れか１項に記載の浴槽洗浄装置。
【発明の詳細な説明】
【技術分野】
【０００１】
本発明は、浴槽の汚れを自動的に除去する浴槽洗浄装置に関する。
【背景技術】
【０００２】
浴槽内の浴水には、入浴者の皮脂成分又は毛髪などの汚れが残留する。これらの汚れは浴水を排出してもその一部が浴槽壁又は浴槽底に付着残留してしまう。このため、浴槽を洗浄する際には、浴水の排出後浴槽壁及び浴槽底をスポンジで擦りシャワーで洗い流すことが求められる。この際、浴槽に付着した汚れを落とすためには、腰を落としてスポンジ等で浴槽壁を強く拭く作業が想定される。特に、手が届きにくい浴槽壁又は浴槽底まで手を伸ばして拭く動作は高齢者には厳しい作業となり、できるだけ省力化された簡便にできる浴槽洗浄作業が望まれている。
【０００３】
例えば、浴槽洗浄剤メーカーは浴槽に浴槽洗浄剤を垂らし吹き付け、汚れを取れやすくした後にシャワーで洗い流す作業を提案している。しかしながら、この作業では浴槽洗浄剤を浴槽全体に塗布することが必要であり、大量の浴槽洗浄剤を使用することによるコストの増加が問題であった。
【０００４】
また、例えば特許文献１の技術では、浴槽底部にシャワー発生ノズルを設置して、浴槽に蓋を被せて洗剤とともに浴槽内に自動でシャワーを吹き出して浴槽壁を洗浄する技術が提案されている。しかしながら、この技術を実際に製品に適用するためには、吹き出しノズルが設置された専用浴槽（システムバス）への交換施工工事が必要となり、高額な費用がかかる問題があった。
【先行技術文献】
【特許文献】
【０００５】
【特許文献１】特開平１１−２０６６０２号公報
【発明の概要】
【発明が解決しようとする課題】
【０００６】
上記特許文献１の浴槽洗浄装置においては、浴槽壁へ効率的に水を射出するための専用のノズルを配置した専用浴槽が必要となるので、導入コストが高く、手間と時間がかかる施工工事が課題となっている。
【０００７】
本発明は、上記のような課題を解決するためになされたものであって、導入コストが安く、手間又は時間がかかる施工工事を行うことなく浴槽自動洗浄を実現する浴槽洗浄装置を提供することを目的とする。
【課題を解決するための手段】
【０００８】
本発明に係る浴槽洗浄装置は、浴槽の内壁を洗浄するための浴槽洗浄装置であって、浴槽内の浴水を波立たせる造波手段と、浴槽内に浴水が貯留されている状態で造波手段を操作することにより浴槽の内壁を洗浄する洗浄動作を行う制御手段と、を備えるものである。
【発明の効果】
【０００９】
本発明によれば、導入コストが安く、手間又は時間がかかる施工工事を行うことなく浴槽自動洗浄を実現する浴槽洗浄装置を提供することが可能となる。
【図面の簡単な説明】
【００１０】
【図１】本発明の実施の形態１における浴槽洗浄装置を搭載した給湯機を示した図である。
【図２】浴水循環経路の水流を反転させた場合に浴水が振動する様子を模式的に示した図であり、図中の（ａ）は正方向に浴水を循環させた図を、図中の（ｂ）は逆方向に浴水を循環させた図を示している。
【図３】本発明の実施の形態１において、制御部が洗浄動作を行う手順を示すフローチャートである。
【図４】本発明の実施の形態２における浴槽洗浄装置を搭載した給湯機の浴槽周辺の構造を示す図である。
【図５】浴槽アダプタ可動部による造波動作の様子を模式的に示した図であり、図中の（ａ）は浴槽アダプタ可動部を後退させた図を図中の（ｂ）は浴槽アダプタ可動部を前進させた図を示している。
【図６】本発明の実施の形態２において、制御部が洗浄動作を行う手順を示すフローチャートである。
【図７】本発明の実施の形態３における浴槽洗浄装置を搭載した給湯機の浴槽周辺の構造を示す図である。
【図８】浴槽アダプタ可動部による造波動作の様子を模式的に示した図であり、図中の（ａ）は浴槽アダプタ可動部を下方へ回動させた図を、図中の（ｂ）は浴槽アダプタ可動部を上方へ回動させた図を示している。
【図９】本発明の実施の形態４における浴槽洗浄装置を搭載した給湯機の浴槽周辺の構造を示す図である。
【図１０】浴槽アダプタ可動部による造波動作の様子を模式的に示した図であり、図中の（ａ）は浴槽アダプタ可動部を下方へ移動させた図を、図中の（ｂ）は浴槽アダプタ可動部を上方へ移動させた図を示している。
【発明を実施するための形態】
【００１１】
以下、図面を参照して、本発明の実施の形態について説明する。尚、各図において同一部分または相当部分は、同一の符号を付して、重複する説明を省略する。
【００１２】
実施の形態１．
［実施の形態１の構成］
図１は、本発明の実施の形態１における浴槽洗浄装置を搭載した給湯機を示した図である。本実施の形態１による給湯機は、加熱手段１とタンクユニット２とを備えている。加熱手段１は、圧縮機２０３、放熱器２０４、膨張弁２０５、及び蒸発器２０６を順に配管２０７で接続した、ヒートポンプサイクルを利用したものである。この加熱手段１は自然冷媒である二酸化炭素を冷媒として用い、高圧側では臨界圧を越える状態で運転することが好ましい。
【００１３】
タンクユニット２は、貯湯タンク３を内蔵している。貯湯タンク３としては、上部に高温水が下部に低温水が温度層ごとに分離して蓄えられる積層式貯湯タンクが使用される。貯湯タンク３には、貯湯タンク３の上部に温水導出口２１１および温水導入口２１３が、下部に水導入口２１２および水導出口２１４が設けられている。貯湯タンク３の下部の水導出口２１４からの水は、沸き上げ用送水ポンプ２１５により配管２１６を通って加熱手段１の放熱器２０４に供給され、放熱器２０４で加熱された後、配管２１７、三方弁２１８を通って貯湯タンク３の上部の温水導入口２１３から貯湯タンク３内に戻される。沸き上げ用送水ポンプ２１５、配管２１６、放熱器２０４および配管２１７により貯湯回路を構成する。貯湯された高温水は温水導出口２１１から出湯される。
【００１４】
また、タンクユニット２には、追焚き熱交換器１０１、追焚き配管１０３、浴水循環経路１０２及び追焚き用ポンプ１０４が搭載されると共に、浴槽１１１が付設されている。追焚き熱交換器１０１は、貯湯タンク３内に貯留された高温水（加熱流体）と浴水との間で熱交換することにより、浴水を加熱するもので、本実施の形態の加熱装置を構成している。追焚き熱交換器１０１の１次側は、追焚き配管１０３を介して貯湯タンク３の上部側及び下部側にそれぞれ接続されている。追焚き配管１０３は、貯湯タンク３の上部側から高温水を取出し、この高温水を追焚き熱交換器１０１の１次側を介して貯湯タンク３の下部側に戻すもので、図示しないポンプにより湯水を循環させる。
【００１５】
追焚き熱交換器１０１の２次側には、当該２次側と浴槽１１１との間に浴水を循環させるための浴水循環経路１０２が設けられている。浴水循環経路１０２は、追焚き熱交換器１０１の２次側流出口と浴槽１１１とを接続する追焚き往き配管１０７と、追焚き熱交換器１０１の２次側流入口と浴槽１１１とを接続する追焚き戻り配管１０８とにより構成されている。追焚き戻り配管１０８は、浴槽１１１内に貯留された浴水を追焚き熱交換器１０１の２次側に流入させるもので、追焚き往き配管１０７は、追焚き熱交換器１０１により加熱された浴水を浴槽１１１内に戻すものである。これらの配管１０７，１０８は、浴槽１１１の壁面部等に設置された浴槽アダプタ１１０を介して浴槽１１１に接続されている。また、浴槽１１１の底面には、浴水を排出するための排水口１１５及び排水口１１５を開閉する排水栓１１４が設けられている。また、排水口１１５には、排水口からの排水を検知するための水圧センサ１１６が設けられている。なお、水圧センサ１１６は本例以外にも例えば浴水循環経路１０２に設けて、水圧の変化を検出することで排水を検知する構成としてもよい。
【００１６】
また、追焚き戻り配管１０８にはバブル発生器１０５ａが設けられている。バブル発生器１０５ａは、例えば空気配管（図示せず）から空気を吸込むエジェクタ機構として構成され、浴水循環経路１０２を循環する浴水にバブル（微細気泡）を混入させるための装置である。バブルが混入された浴水は、浴槽アダプタ１１０を介して浴槽１１１内に導入される。なお、上記構成例では、バブル発生器１０５ａを追焚き戻り配管１０８に設置することとしているが、浴槽アダプタ１１０と一体に構成されていてもよい。
【００１７】
制御部１２０（制御手段）は、例えばマイクロコンピュータ等により構成され、ＲＯＭ、ＲＡＭ、不揮発性メモリ等を含む記憶部と、記憶部に記憶されたプログラムに基づいて所定の演算処理を実行する演算処理装置（ＣＰＵ）と、演算処理装置に対して外部の信号を入出力する入出力ポートとを備える。制御部１２０は、前述した追焚き用ポンプ１０４、バブル発生器１０５ａ、及び水圧センサ１１６等に接続される。
【００１８】
次に、本実施の形態による浴槽洗浄装置の動作について説明する。図１において排水栓１１４を開けて浴水の排水を始めると、水圧センサ１１６でこれを検出し追焚き用ポンプ１０４が駆動されて、浴水を浴水循環経路１０２に循環させる浴槽１１１の洗浄動作が行われる。この際、バブル発生器１０５ａは浴水循環経路１０２の浴水にバブルを供給する。これにより、バブルを含む浴水が配管の汚れを吸着除去しながら又は汚れの付着を防止しながら浴水循環経路１０２内を循環し、浴槽アダプタ１１０を介して浴槽１１１内に吐出され、さらに浴槽１１１の汚れを吸着除去または付着防止の効果を発揮する。
【００１９】
本実施の形態による浴槽洗浄装置は、この洗浄動作時に追い焚き用ポンプ１０４の送水方向を一定の間隔で反転させて喫水部に波を形成する造波動作に特徴を有している。図２は、浴水循環経路の水流を反転させた場合に浴水が振動する様子を模式的に示した図であり、図中の（ａ）は正方向に浴水を循環させた図を、図中の（ｂ）は逆方向に浴水を循環させた図を示している。追い焚き用ポンプ１０４の送水方向を切り替えると浴水循環経路１０２を流れる浴水の流れ方向が反転する。これにより、浴槽アダプタ１１０からの浴水の吐出と吸水が一定の間隔で入れ替わるので、浴水は浴槽１１１の中で大きく振動し喫水部に波が形成される。これにより、浴水を排水しながら喫水部の汚れ付着を抑制することができるので、浴槽壁をきれいに保つことができる。
【００２０】
なお、追い焚き用ポンプ１０４による循環水量が大きい場合は、浴槽１１１内の浴水に大きな流れが発生することで浴水表面を大きく振動させることができるが、循環水量が小さい場合においては浴水表面の振動が小さくなることもある。そこで、洗浄動作における追い焚き用ポンプ１０４の反転周期は、浴槽１１１の長さに対する浴水固有の振動数に合わせた反転周期とすることが好ましい。これにより、浴水を共振させることができるので、循環水量が小さい場合であっても浴水全体を大きく振動させることができる。
【００２１】
浴槽１１１の長さと水位に対する一次元共振周波数（固有振動数）は、以下の式（１）で計算することができる。なお、以下の式（１）では、浴槽１１１を長方形水槽に見立てた場合のものであり、λ＝２Ｌ／ｎ（ｎ＝ｎ次の共振）、Ｌ＝浴槽長さ、ｈ＝浴槽の水位、λ＝波長、ｇ＝重力加速度である。
共振周波数＝（１／λ）［〔（ｇλ）／（２π）〕ｔａｎｈ〔（２πｈ）／λ〕］（１／２）  ・・・（１）
【００２２】
上式（１）を用いると、数ヘルツ以下で顕著な共振周波数が存在するが、実際に浴水を０．１秒〜数秒に１回共振させることで、浴水に大きな波を発生させることができる。
【００２３】
実施の形態１の浴槽洗浄装置においては、１／２ヘルツで追い焚き用ポンプ１０４の送水方向を反転させて造波したところ、喫水部の浴水の表面には大きな波が発生した。これにより、浴水に大きな波を発生させながら排水が進行するので、喫水部の汚れ付着は抑制された。また汚れが付着したとしても簡単に水で流して除去することができるので、浴槽壁をきれいに保つことができた。
【００２４】
次に、図３を参照して、実施の形態１の具体的処理について説明する。図３は本発明の実施の形態１において、制御部１２０が洗浄動作を行う手順を示すフローチャートである。先ず、ステップＳ１において排水栓１１４が開かれる。次のステップＳ２では、排水栓１１４が開かれたことが水圧センサ１１６によって検知されると、これに応答して追い焚き用ポンプ１０４が起動される。次のステップＳ３では、バブル発生器１０５ａへの空気の供給が行われることにより、浴水循環経路１０２内の循環浴水にバブルが供給される。次のステップＳ４では、追い焚き用ポンプ１０４の送水方向が一定時間毎に、例えば１秒毎に反転される。これにより、浴水表面には大きな波が発生し、汚れに付着したバブルは循環する浴水の波に揺られながら浴水とともに排水口１１５から排水される。次のステップＳ５では浴水が浴槽アダプタ１１０の付近まで排水されたことが水圧センサにより検知されると、これに応答して追い焚き用ポンプ１０４が停止される。以上のステップの処理を実行することにより、洗浄動作において浴槽壁に汚れが付着することを抑制する。
【００２５】
このように、上記実施の形態１の浴槽洗浄装置によれば、複雑な施工工事を行うことなく浴槽内の自動洗浄を実現することができる。
【００２６】
ところで、反転させる時間の最適値は浴槽の形状又は大きさで異なるが、波の大きさが小さくなっても概ね汚れの付着は抑制可能である。浴槽アダプタ１１０に浴水１１２の揺れを感知する加速度センサー（検知手段）を配置して、揺れに合わせて浴水の循環流れ方向の反転を繰り返したところ、大きな波が発生して汚れの付着も大幅に抑制できた。センサーは、撮像素子を用いたセンサーなど、波の動きの大きさを確認できるものであれば何でも良いし、必ず配置しなければ波を発生できないということはない。
【００２７】
また、この造波とバブルによる汚れ抑制除去は、浴水を排水しない状態で排水前に実施するとさらに効果が高まり、その後に排水することで浴槽壁に付着した汚れ及び浴槽１１１の喫水部に浮いている汚れが浴槽壁に付着することを一層防ぐ効果を確認した。従って、本実施の形態の浴槽洗浄装置においては、洗浄動作において排水動作を行わずに追い焚き用ポンプ１０４を用いた造波動作のみを行うこととしてもよい。
【００２８】
また、今回は、バブル発生器１０５ａにおいてはエジェクタ構造を採用したが、他のバブル発生方法によるバブル発生器を使用したとしても、浴槽汚れ抑制除去効果が阻害されるものではない。またバブルを導入しない造波だけでも、浴槽汚れ抑制除去効果を有することがわかった。従って、本実施の形態の浴槽洗浄装置においては、洗浄動作においてバブル発生器１０５ａを用いたバブルの供給を行わずに追い焚き用ポンプ１０４を用いた造波動作のみを行うこととしてもよい。
【００２９】
実施の形態２．
次に、本発明の実施の形態２について説明する。実施の形態２の浴槽洗浄装置は、洗浄動作時において浴槽１１１内の浴水に波を発生させる造波方法が実施の形態１の装置と異なる。図４は、本発明の実施の形態２における浴槽洗浄装置を搭載した給湯機の浴槽周辺の構造を示す図である。尚、図４において図示されていない給湯機の加熱手段およびタンクユニットは図１に示す給湯機のそれと同様である。図４に示すように、実施の形態２の浴槽洗浄装置は、浴槽アダプタ１１０の接浴水部に浴槽アダプタ可動部１１０ａが設けられている。浴槽アダプタ可動部１１０ａは、油圧により前進後退動作が可能に構成されている。
【００３０】
本実施の形態２の浴槽洗浄装置では、浴槽アダプタ可動部１１０ａが本発明の造波手段として機能する。図５は、浴槽アダプタ可動部による造波動作の様子を模式的に示した図であり、図中の（ａ）は浴槽アダプタ可動部を後退させた図を図中の（ｂ）は浴槽アダプタ可動部を前進させた図を示している。この図に示すように、本実施の形態２の浴槽洗浄装置では、洗浄動作を行う際に浴槽アダプタ可動部１１０ａが前後に繰り返し駆動される。これにより、浴槽１１１内の浴水に波を発生させることができるので、洗浄動作時において浴槽１１１の浴槽壁に付着する汚れを抑制することが可能となる。
【００３１】
なお、振動の周波数を２ヘルツで動作させたところ、浴槽アダプタ可動部１１０ａの可動距離を数ｍｍまで小さくしても造波の効果が損なわれることはなかった。また、浴槽アダプタ可動部１１０ａは、実施の形態１における造波手段であるポンプの循環流れ方向の連続反転時間よりも短時間で造波することが可能で、より少ない駆動力でより大きい波を発生させることができた。
【００３２】
次に、図６を参照して、実施の形態２の具体的処理について説明する。図６は本発明の実施の形態２において、制御部１２０が洗浄動作を行う手順を示すフローチャートである。先ず、ステップＳ１１において排水栓１１４が開かれる。次のステップＳ１２では、排水栓１１４が開かれたことが水圧センサ１１６によって検知されると、これに応答して追い焚き用ポンプ１０４が起動される。次のステップＳ１３では、バブル発生器１０５ａへの空気の供給が行われることにより、浴水循環経路１０２内の循環浴水にバブルが供給される。次のステップＳ１４では、浴槽アダプタ可動部１１０ａが前後に繰り返し駆動される。これにより、浴水表面には大きな波が発生し、汚れに付着したバブルは循環する浴水の波に揺られながら浴水とともに排水口１１５から排水される。次のステップＳ１５では浴水が浴槽アダプタ１１０の付近まで排水されたことが水圧センサ１１６により検知されると、これに応答して追い焚き用ポンプ１０４が停止される。以上のステップの処理を実行することにより、洗浄動作において浴槽壁に汚れが付着することを抑制する。
【００３３】
このように、上記実施の形態２の浴槽洗浄装置によれば、複雑な施工工事を行うことなく浴槽内の自動洗浄を実現することができる。
【００３４】
ところで、本実施の形態２の浴槽洗浄装置では、浴槽アダプタ可動部１１０ａを前進後退させるための動力として油圧を用いることとしているが、モータと歯車により前進後退させることでも同様な洗浄効果を得ることが出来た。従って、浴槽アダプタ可動部１１０ａの動力としては、モータと歯車を用いた機構を用いてもよい。
【００３５】
また、上述した実施の形態２の浴槽洗浄装置では、浴水の排水時に洗浄動作を行うこととしているが、洗浄動作において排水動作を行わずに浴槽アダプタ可動部１１０ａを用いた造波動作のみを行うこととしてもよい。また、上述した実施の形態２の浴槽洗浄装置では、洗浄動作においてバブル発生器１０５ａを用いたバブルの供給を行うこととしているが、これを行わずに浴槽アダプタ可動部１１０ａを用いた造波動作のみを行うこととしてもよい。
【００３６】
実施の形態３．
次に、本発明の実施の形態３について説明する。実施の形態３の浴槽洗浄装置は、アダプタ可動部の構成が実施の形態２の浴槽アダプタ可動部１１０ａと異なる。図７は、本発明の実施の形態３における浴槽洗浄装置を搭載した給湯機の浴槽周辺の構造を示す図である。尚、図７においても図示されていない給湯機の加熱手段およびタンクユニットは図１に示す給湯機のそれと同様である。図７に示すように、実施の形態３の浴槽洗浄装置は、浴槽アダプタ１１０の接浴水部に浴槽アダプタ可動部１１０ｂが設けられている。浴槽アダプタ可動部１１０ｂは、モータ又は油圧等の動力源を用いて板状のフィンを上下又は左右に回動可能に構成されている。
【００３７】
本実施の形態３の浴槽洗浄装置では、浴槽アダプタ可動部１１０ｂが本発明の造波手段として機能する。図８は、浴槽アダプタ可動部による造波動作の様子を模式的に示した図であり、図中の（ａ）は浴槽アダプタ可動部を下方へ回動させた図を図中の（ｂ）は浴槽アダプタ可動部を上方へ回動させた図を示している。実施の形態３の浴槽洗浄装置では、上述した実施の形態２の洗浄動作を行う際に、浴槽アダプタ可動部１１０ｂが上下に繰り返し回動される。これにより、浴槽１１１内の浴水に波を発生させることができるので、洗浄動作時において浴槽１１１の浴槽壁に付着する汚れを抑制することが可能となる。
【００３８】
なお、本実施の形態３の造波手段としての浴槽アダプタ可動部１１０ｂは、実施の形態１における造波手段であるポンプの循環流れ方向の連続反転時間よりも短時間で造波することが可能で、より少ない駆動力でより大きい波を発生させることができた。
【００３９】
ところで、上述した実施の形態３の浴槽洗浄装置では、浴水の排水時に洗浄動作を行うことを基本としているが、洗浄動作において排水動作を行わずに浴槽アダプタ可動部１１０ｂを用いた造波動作のみを行うこととしてもよい。また、上述した実施の形態３の浴槽洗浄装置では、洗浄動作においてバブル発生器１０５ａを用いたバブルの供給を行うことを基本としているが、これを行わずに浴槽アダプタ可動部１１０ｂを用いた造波動作のみを行うこととしてもよい。
【００４０】
実施の形態４．
次に、本発明の実施の形態４について説明する。実施の形態４の浴槽洗浄装置は、アダプタ可動部の構成が実施の形態２の浴槽アダプタ可動部１１０ａと異なる。図９は、本発明の実施の形態４における浴槽洗浄装置を搭載した給湯機の浴槽周辺の構造を示す図である。尚、図９においても図示されていない給湯機の加熱手段およびタンクユニットは図１に示す給湯機のそれと同様である。図９に示すように、実施の形態４の浴槽洗浄装置は、浴槽アダプタ１１０の接浴水部に浴槽アダプタ可動部１１０ｃが設けられている。浴槽アダプタ可動部１１０ｃは、モータ又は油圧等の動力源を用いて三角柱状のフィンブロックを上下に移動可能に構成されている。
【００４１】
本実施の形態４の浴槽洗浄装置では、浴槽アダプタ可動部１１０ｃが本発明の造波手段として機能する。図１０は、浴槽アダプタ可動部による造波動作の様子を模式的に示した図であり、図中の（ａ）は浴槽アダプタ可動部を下方へ移動させた図を図中の（ｂ）は浴槽アダプタ可動部を上方へ移動させた図を示している。実施の形態４の浴槽洗浄装置では、上述した実施の形態２の洗浄動作を行う際に、浴槽アダプタ可動部１１０ｃが上下に繰り返し移動される。これにより、浴槽１１１内の浴水に波を発生させることができるので、洗浄動作時において浴槽１１１の浴槽壁に付着する汚れを抑制することが可能となる。
【００４２】
なお、本実施の形態４の造波手段としての浴槽アダプタ可動部１１０ｃは、実施の形態１における造波手段であるポンプの循環流れ方向の連続反転時間よりも短時間で造波することが可能で、より少ない駆動力でより大きい波を発生させることができた。
【００４３】
ところで、上述した実施の形態３の浴槽洗浄装置では、浴水の排水時に洗浄動作を行うことを基本としているが、洗浄動作において排水動作を行わずに浴槽アダプタ可動部１１０ｃを用いた造波動作のみを行うこととしてもよい。また、上述した実施の形態４の浴槽洗浄装置では、洗浄動作においてバブル発生器１０５ａを用いたバブルの供給を行うことを基本としているが、これを行わずに浴槽アダプタ可動部１１０ｃを用いた造波動作のみを行うこととしてもよい。
【符号の説明】
【００４４】
１０２  浴水循環経路、  １０４  追い焚き用ポンプ、  １０５ａ  バブル発生器（気泡発生装置）、  １０７  追い焚き往き配管、  １０８  追い焚き戻り配管、  １１０  浴槽アダプタ、  １１０ａ  浴槽アダプタ可動部（造波手段）、  １１０ｂ  浴槽アダプタ可動部（造波手段）、  １１０ｃ  浴槽アダプタ可動部（造波手段）、  １１１  浴槽、  １１４  排水栓、  １１５  排水口、  １１６  水圧センサ、  １２０  制御部（制御手段）
【図１】
2015112138.tif 000003
【図２】
2015112138.tif 000004
【図３】
2015112138.tif 000005
【図４】
2015112138.tif 000006
【図５】
2015112138.tif 000007
【図６】
2015112138.tif 000008
【図７】
2015112138.tif 000009
【図８】
2015112138.tif 000010
【図９】
2015112138.tif 000011
【図１０】
2015112138.tif 000012